(57)【要約】【課題】インナー部材を有するグロメットのシール性を高める技術を提供する。【解決手段】グロメット２０は、グロメット本体２２及びインナー部材４０を備える。インナー部材２２は、パネルＰの貫通孔内Ｐｈに配設可能な環状に形成された周壁部４２と、周壁部４２の一端から外側に張り出すようにして設けられた鍔部４６と、周壁部４２の他端側から前記一端側に向けて延びるロック片５０とを有する。グロメット本体２２は、鍔部４６のうち周壁部４２側の部分を覆うように鍔部４６に被さる環状封止部２６と、周壁部４２とは反対側に環状封止部２６から延出する筒部２８と、環状封止部２６の開口端縁部２６１に設けられており、貫通孔Ｐｈの内周縁部ＰｈＥに当接可能なシール部２９とを含む。【選択図】図２
2017007463.tif 000002
【特許請求の範囲】
【請求項１】
車両のパネルに形成された貫通孔に装着されるグロメットであって、
前記パネルの前記貫通孔内に配設可能な環状に形成された周壁部と、前記周壁部の一端から外側に張り出すようにして設けられた鍔部と、前記周壁部の他端側から前記一端側に向けて延びるロック部と、を有するインナー部材と、
弾性材料によって形成され、前記鍔部のうち前記周壁部側の部分を覆うように前記鍔部に被さる環状封止部と、前記周壁部とは反対側に前記環状封止部から延出する筒部と、環状封止部の開口端縁部に設けられており、前記貫通孔の前記内周縁部に当接可能なシール部とを含むグロメット本体と、
を備え、
前記グロメット本体の前記環状封止部と、前記インナー部材の前記ロック部との間で、前記パネルが挟持可能とされており、且つ前記シール部の先端部が前記パネルの前記貫通孔の前記内周縁部よりも内側に配されるように構成されている、グロメット。
【請求項２】
請求項１に記載のグロメットであって、
前記インナー部材の前記ロック部は、
前記周壁部から外側に延出するとともに、前記鍔部に向けて延びるロック片と、
前記ロック片の外面側に突設されたロック突部と、
を含み、
前記ロック突部が前記パネルの他方主面に当接することで、前記グロメット本体の開口端部との間で前記パネルが挟持される、グロメット。
グロメット。
【請求項３】
請求項１または請求項２に記載のグロメットであって、
前記環状封止部の前記開口端縁部が、前記貫通孔の内周縁部よりも内側に配されるように設けられており、
前記シール部が、前記環状封止部の前記開口端縁部から、前記ロック部側に突出するように設けられている、グロメット。
【請求項４】
請求項１から請求項３のいずれか１項に記載のグロメットと、
前記グロメットに挿通されるワイヤハーネスと、
を備える、グロメット付ワイヤハーネス。
【発明の詳細な説明】
【技術分野】
【０００１】
この発明は、インナー部材を備えたグロメットに関する。
【背景技術】
【０００２】
車両のパネル部材に形成された貫通孔に挿通されるワイヤハーネスを保護するため、当該貫通孔にグロメットが装着される場合がある。
【０００３】
例えば特許文献１には、ゴム材で構成されたアウター部材と、樹脂等で構成されたインナー部材と、カバー部材とで構成されたグロメットが開示されている。詳細には、アウター部材はパネル部材の一方側に配され、当該アウター部材にパネル部材の貫通孔に嵌め込まれたインナー部材のフランジ部がアウター部材の内周面に設けられた内周溝に嵌合される。また、パネル部材の他方側に露出するインナー部材の外周面にはネジが形成されており、当該ネジはカバー部材の内周面に形成されたネジと螺合するように構成されている。そして、パネル部材の他方側からカバー部材をインナー部材に螺合させることによって、カバー部材の端面と、アウター部材の端面との間で、パネル部材が挟持される。
【０００４】
上記グロメットによれば、インナー部材に対するカバー部材の螺合位置を調整することによって、車体パネルの板厚を吸収することができ、カバー部材を車体パネルに密着させることができるため、室内に水等が侵入するのを確実に防止できるとされている。
【先行技術文献】
【特許文献】
【０００５】
【特許文献１】特開２００１−２５１７３５号公報
【発明の概要】
【発明が解決しようとする課題】
【０００６】
しかしながら、特許文献１のグロメットは、カバー部材及びアウター部材の端面と、パネル部材の両側の表面同士が面状に接触する構成であるため、パネルとグロメット間の隙間を十分にシールすることが困難となる場合があった。
【０００７】
一方で、自動車等の車両内のスペース拡大化や、車両の小型化のニーズに応えるため、グロメットの小型化も望まれている。このため、グロメットに設けられるシール構造は、可能な限り低背化することが望ましい。
【０００８】
そこで、本発明は、低背のシール構造を備えたインナー部材付きのグロメットを提供することを目的とする。
【課題を解決するための手段】
【０００９】
上記の課題を解決するため、第１の態様は、車両のパネルに形成された貫通孔に装着されるグロメットであって、前記パネルの前記貫通孔内に配設可能な環状に形成された周壁部と、前記周壁部の一端から外側に張り出すようにして設けられた鍔部と、前記周壁部の他端側から前記一端側に向けて延びるロック部とを有するインナー部材と、弾性材料によって形成され、前記鍔部のうち前記周壁部側の部分を覆うように前記鍔部に被さる環状封止部と、前記周壁部とは反対側に前記環状封止部から延出する筒部と、環状封止部の開口端縁部に設けられており、前記貫通孔の前記内周縁部に当接可能なシール部とを含むグロメット本体とを備え、前記グロメット本体の前記環状封止部と、前記インナー部材の前記ロック部との間で、前記パネルが挟持可能とされており、且つ前記シール部の先端部が前記パネルの前記貫通孔の前記内周縁部よりも内側に配されるように構成されている。
【００１０】
また、第２の態様は、第１の態様に係るグロメットであって、前記インナー部材の前記ロック部は、前記周壁部から外側に延出するとともに、前記鍔部に向けて延びるロック片と、前記ロック片の外面側に突設されたロック突部とを含み、前記ロック突部が前記パネルの他方主面に当接することで、前記グロメット本体の開口端部との間で前記パネルが挟持される。
【００１１】
また、第３の態様は、第１または第２の態様に係るグロメットであって、前記環状封止部の前記開口端縁部が、前記貫通孔の内周縁部よりも内側に配される用に設けられており、前記シール部が、前記環状封止部の前記開口端縁部から、前記ロック部側に突出するように設けられている。
【００１２】
また、第４の態様は、グロメット付ワイヤハーネスであって、第１から第３の態様のいずれか１つに係るグロメットと、前記グロメットに挿通されるワイヤハーネスとを備える。
【発明の効果】
【００１３】
第１の態様に係るグロメットによると、グロメット本体における環状封止部の開口端縁部に沿って設けられたシール部が、パネルの貫通孔の内周縁部に当接することで、パネル及びグロメット間における隙間を良好にシールすることができる。また、シール部を貫通孔の内周縁部に当接させることで、シール構造の低背化を図ることができる。
【００１４】
また、第２の態様に係るグロメットによると、インナー部材及びグロメット本体をロック片によって容易にパネルの貫通孔に取付けることができる。
【００１５】
また、第３の態様に係るグロメットによると、パネルの貫通孔の内周縁部よりも内側に配される環状封止部の開口端縁部にシール部を突設することで、当該シール部を貫通孔の内周縁部に当接させることが容易となる。
【００１６】
また、第４の態様に係るグロメット付ワイヤハーネスによると、グロメット本体における環状封止部の開口端縁部に沿って設けられたシール部が、パネルの貫通孔の内周縁部に当接することで、パネル及びグロメット間における隙間を良好にシールすることができる。また、シール部を貫通孔の内周縁部に当接させることで、シール構造の低背化を図ることができる。
【図面の簡単な説明】
【００１７】
【図１】第１実施形態に係るグロメットを示す概略斜視図である。
【図２】図１に示すＡ−Ａ線に沿って切断されたグロメットを示す概略断面図である。
【図３】第２実施形態に係るグロメットを示す概略断面図である。
【発明を実施するための形態】
【００１８】
以下、添付の図面を参照しながら、本発明の実施形態について説明する。なお、この実施形態に記載されている構成要素はあくまでも例示であり、本発明の範囲をそれらのみに限定する趣旨のものではない。また、図面においては、理解容易のため、必要に応じて各部の寸法や数が誇張または簡略化して図示されている場合がある。
【００１９】
＜１．  第１実施形態＞
図１は、第１実施形態に係るグロメット２０を示す概略斜視図である。図２は、図１に示すＡ−Ａ線に沿って切断されたグロメット２０を示す概略断面図である。
【００２０】
＜グロメット２０の構成＞
グロメット２０内に挿通されるワイヤハーネス１０は、１本または複数本の電線を束ねて構成されている。グロメット２０は、車両に形成されたパネルＰ（例えば車体、ドア等のパネル）に形成された貫通孔Ｐｈに装着される部材である。ワイヤハーネス１０は、グロメット２０内を通って、貫通孔Ｐｈに通される。このようにグロメット２０にワイヤハーネス１０が挿通されることによって、グロメット付ワイヤハーネスが構成される。グロメット２０をパネルＰに装着することによって、ワイヤハーネス１０が貫通孔Ｐｈの周縁部から保護されるとともに、パネルＰで仕切れられる両側の空間の間で、水やほこり等が行き来することが抑制される。
【００２１】
貫通孔Ｐｈは、対向する一対の直線部分と、一対の直線部分の両端部同士を結ぶ一対の略円弧状の曲線部分とを有する略長円形の孔状に形成されているものとするが、貫通孔Ｐｈの形状は、これに限定されるものではない。例えば、貫通孔Ｐｈは、円形状、略矩形状等に形成されていてもよい。
【００２２】
グロメット２０は、グロメット本体２２と、インナー部材４０とを備えている。グロメット本体２２は、ゴム、シリコンまたは合成樹脂素材等の弾性材料によって形成されており、インナー部材４０は、グロメット本体２２よりも剛性が高い材料で構成されている。インナー部材４０は、例えばポリアミド（ＰＡ）またはポリプロピレン（ＰＰ）等の樹脂によって形成されている。
【００２３】
＜グロメット本体２２の構成＞
グロメット本体２２は、環状封止部２６を備えている。環状封止部２６は、パネルＰの貫通孔Ｐｈよりも一回り大きく形成されており、長円環状に形成されている。環状封止部２６の内周部には、後述するインナー部材４０の鍔部４６を嵌め込み可能な環状溝２７が形成されている。そして、鍔部４６を環状溝２７内に嵌め込むことで、鍔部４６のうち、後述する周壁部４２側の部分、外周側部分、及び、筒部２８側の部分を当該環状封止部２６が覆うようにして被さる。
【００２４】
また、グロメット本体２２には、上記のように環状封止部２６が鍔部４６に被さった状態で、周壁部４２の反対側に環状封止部２６から延出する筒部２８が設けられている。ワイヤハーネス１０は、パネルＰの他方側から環状封止部２６を通ることで貫通孔Ｐｈ内に導かれ、筒部２８を通るようにして、パネルＰの一方側へ導かれる。
【００２５】
環状封止部２６は、グロメット本体２２の開口端部を構成しており、その開口端部における開口の大きさは、パネルＰの貫通孔Ｐｈよりも若干小さくなっている。このため、環状封止部２６の開口端縁部２６１は、貫通孔Ｐｈの内周縁部ＰｈＥよりも内側に配される。
【００２６】
また、環状封止部２６の開口端縁部２６１には、当該開口端縁部２６１の周方向に沿って延びる環状のシール部２９が設けられている。ここでは、図２において拡大して示されるように、シール部２９は、環状封止部２６の開口端縁部２６１から筒部２８とは反対側に突出するように設けられている。すなわち、シール部２９は、鍔部４６が環状封止部２６の環状溝２７内に嵌め込まれた状態において、環状封止部２６の開口端縁部２６１からロック片５０側に突出するように設けられている。
【００２７】
また、シール部２９は、その先端部２９１に向かうにつれて次第に厚みが小さくなるように形成されており、外周面が貫通孔Ｐｈの軸方向に対して傾く傾斜面２９２となっている。当該シール部２９は、後述するように、パネルＰの一方主面Ｓ１側で、貫通孔Ｐｈの内周縁部ＰｈＥに密着することで、パネルＰ及びグロメット２０間の隙間をシールする機能を果たす。
【００２８】
＜インナー部材４０の構成＞
インナー部材４０は、グロメット本体２２に装着される部材であり、グロメット本体２２の環状封止部２６のうち、筒部２８とは反対側の表面をパネルＰの一方主面Ｓ１に密着させるように保持する部材である。
【００２９】
詳細には、インナー部材４０は樹脂等によって一体成形された部材であり、周壁部４２、鍔部４６、ロック片５０及びロック突部５８を備える。
【００３０】
周壁部４２の内側には、ワイヤハーネス１０を挿通するための開口が形成されている。周壁部４２は、パネルＰの貫通孔Ｐｈ内に配設可能な短筒形状に形成されている。ここでは、周壁部４２は、貫通孔Ｐｈの開口形状に対応した長円環状の筒形状とされており、好ましくは貫通孔Ｐｈにがたつき無く嵌め込み可能な筒形状に形成されている。周壁部４２を貫通孔Ｐｈ内に嵌め込むことで、貫通孔Ｐｈの軸に直交する方向（径方向）において、貫通孔Ｐｈに対するインナー部材４０の位置決めがなされる。
【００３１】
周壁部４２の外周面には、１つ以上の凹部４３が形成されている。凹部４３の各々に、ロック片５０が形成されている。
【００３２】
鍔部４６は、周壁部４２の一端側開口縁部から外側に張出す環状板形状、ここでは、略楕円環状板形状に形成されている。鍔部４６は、好ましくは環状溝２７の深さ寸法とほぼ同じ突出寸法で、且つ環状溝２７と幅寸法と同じ厚さ寸法に設定されている。なお、図２に示すように、鍔部４６の外周部の一部が鉤状に屈曲する屈曲部４６１が設けられており、環状溝２７内にも、この屈曲部４６１に対応するように凹みが設けられている。屈曲部４６１によって、環状封止部２６に対する鍔部４６の位置決めされる。なお、屈曲部４６１を設けることは必須ではない。例えば、鍔部４６は屈曲部４６１が無い平坦な円板状に形成されていてもよい。
【００３３】
鍔部４６が環状封止部２６の環状溝２７内に嵌め込まれた状態では、貫通孔Ｐｈの周囲で鍔部４６がパネルＰの一方主面Ｓ１に押付けられる。これによって、環状封止部２６のうち筒部２８とは反対側の表面が、貫通孔Ｐｈの周囲でパネルＰの一方主面Ｓ１に密着する。また、グロメット本体２２のシール部２９が貫通孔Ｐｈの周縁部に密着する。
【００３４】
ロック片５０は周壁部４２の他端部から周壁部４２の一端側に向けて延出するように形成されている。ここでは、ロック片５０は周壁部４２のうち上記凹部４３が設けられた部分に形成されている。ロック片５０は、周壁部４２の他端側から周壁部４２の外方に延出しつつ周壁部４２の一端部に向うように湾曲した後、当該周壁部４２の一端側の外周側に向けて延出する形状、すなわち、側面視逆Ｊ字形状に形成されている。このロック片５０は、主として基端側の湾曲部分を中心に弾性変形することで、その延出部分の中間部及び先端部を周壁部４２側に向けて変位させる。
【００３５】
また、ロック片５０の外面のうちその先端部よりも基端側に寄った位置にロック突部５８が形成されている。ロック突部５８は、ロック片５０の幅方向に沿って延びる凸形状に形成されている。ロック突部５８のうちロック片５０の基端側の部分は、ロック片５０の基端側に向けて徐々に突出寸法が小さくなる傾斜面５８ａに形成され、ロック突部５８のうちロック片５０の先端側の部分は、ロック片５０の基端側に向けて徐々に突出寸法が小さくなる傾斜面５８ｂに形成されている。ロック片５０の延出方向に対する傾斜面５８ｂの傾斜角度は、傾斜面５８ａに対する傾斜角度よりも大きくなるように形成されている。また、ロック片５０が原形状にある状態において、ロック突部５８は、周壁部４２の外周面よりも外方に突出するようになっている。
【００３６】
インナー部材４０をグロメット本体２２に装着した状態で、パネルＰの一方主面Ｓ１側から他方主面Ｓ２側に向けて、周壁部４２をパネルＰの貫通孔Ｐｈに嵌め込むと、ロック突部５８の上記傾斜面５８ａが貫通孔Ｐｈの周縁部に接触して、ロック片５０が内向きに弾性変形する。周壁部４２をさらに貫通孔Ｐｈに向けて押し込み、ロック突部５８が貫通孔Ｐｈの周縁部を乗越えると、ロック片５０が原形状に復帰する。これにより、ロック突部５８の傾斜面５８ｂが、パネルＰの他方主面Ｓ２側から貫通孔Ｐｈの内周縁部に抜止め係止するようになる。この状態では、シール部２９は、圧縮変形された状態で、パネルＰの一方主面Ｓ１側で貫通孔Ｐｈの内周縁部ＰｈＥに押付けられている。シール部２９の弾性力によって、ロック片５０及びロック突部５８がパネルＰの一方主面Ｓ１側に引込まれる。これによって、パネルＰの貫通孔Ｐｈの周縁部が、シール部２９、環状封止部２６及びロック突部５８との間で挟込まれた状態で、グロメット２０の一端部がパネルＰの貫通孔Ｐｈに装着されることになる。
【００３７】
本実施形態に係るロック片５０は、周壁部４２の他端側から一端側に向けて延びており、かつ、環状封止部２６との間でパネルＰを挟持するロック部を構成する。
【００３８】
また、インナー部材４０の周壁部４２の内側には、ハーネス固定片９０が立設されている。ハーネス固定片９０は、ワイヤハーネス１０とともにテープ巻きされる。これによって、インナー部材４０がワイヤハーネス１０に固定される。なお、ハーネス固定片９０は必須の構成ではなく、省略可能である。
【００３９】
このように、本実施形態に係るグロメット２０によると、パネルＰの貫通孔Ｐｈにグロメット２０が取付けられた際、パネルＰの一方主面Ｓ１側でグロメット本体２２のシール部２９（具体的には、シール部２９の傾斜面２９２）が貫通孔Ｐｈの内周縁部ＰｈＥに当接する。これによって、シール部２９が貫通孔Ｐｈの内周縁部ＰｈＥに線状に密着するため、グロメット２０とパネルＰとの間におけるシール性の向上を図ることができる。また、シール部２９が、環状封止部２６の開口端縁部２６１に突設されるものであり、且つ貫通孔Ｐｈの内周縁部ＰｈＥに当接するものであるため、グロメット２０のシール構造の低背化を図ることができる。
【００４０】
＜２．  第２実施形態＞
次に、第２実施形態について説明する。なお、以降の説明において、既に説明した要素と同様の機能を有する要素については、同じ符号またはアルファベットを追加した符号を付して、詳細な説明を省略する場合がある。
【００４１】
図３は、第２実施形態に係るグロメット２０Ａを示す概略断面図である。グロメット２０Ａは、グロメット本体２２Ａ、インナー部材４０Ａを備えている。インナー部材４０Ａは、インナー本体６０と、カバー部材６２を備えている。なお、図３では、インナー本体６０については、その側面が図示されている。グロメット本体２２Ａはゴム等の弾性材料で構成されており、インナー本体６０及びカバー部材６２は、グロメット本体２２Ａよりも剛性が高い材料（例えばＰＡ，ＰＰ等の樹脂）で形成されている。
【００４２】
＜グロメット本体２２Ａの構成＞
グロメット本体２２Ａは、環状封止部２６Ａを備えている。環状封止部２６Ａは、パネルＰの貫通孔Ｐｈより一回り大きい環状に形成されている。環状封止部２６Ａの内周部には、インナー本体６０の鍔部４６Ａが嵌め込み可能な環状溝２７Ａが形成されている。このため、鍔部４６Ａが環状溝２７Ａに嵌め込むことで、鍔部４６のうち、後述する周壁部４２Ａ側の部分、外周部分及び筒部２８Ａ側の部分を当該環状封止部２６Ａが覆うようにして被さる。そして、グロメット本体２２Ａ及びインナー本体６０が一体化される。
【００４３】
グロメット本体２２Ａには、環状封止部２６Ａが鍔部４６に被さった状態で、周壁部４２Ａの反対側に環状封止部２６から内径が小さくなりながら延出する筒部２８が設けられている。ワイヤハーネス１０は、パネルＰの他方側から環状封止部２６Ａを通ることで貫通孔Ｐｈ内に導かれ、筒部２８Ａを通るようにしてパネルＰの一方側へ導かれる。
【００４４】
また、環状封止部２６Ａの開口端縁部２６１Ａには、当該開口端縁部２６１Ａの周方向に沿って延びる環状のシール部２９Ａが設けられている。シール部２９Ａは、シール部２９と略同様の構成を有している。すなわち、図３において拡大して示されているように、シール部２９Ａは、筒部２８とは反対側に環状封止部２６Ａの開口端縁部２６１Ａから突出するように設けられており、その外周面（傾斜面２９２Ａ）が、パネルＰの一方主面Ｓ１側で、貫通孔Ｐｈの内周縁部ＰｈＥに当接するように構成されている。シール部２９Ａは、パネルＰ及びグロメット２０Ａ間の隙間をシールする機能を果たす。
【００４５】
＜インナー部材４０Ａの構成＞
インナー部材４０Ａのインナー本体６０は、グロメット本体２２Ａに装着される部材であり、グロメット本体２２Ａの環状封止部２６Ａのうち、筒部２８Ａとは反対側の表面をパネルＰの一方主面Ｓ１に密着させるように保持する部材である。インナー本体６０は、周壁部４２Ａ、鍔部４６Ａを備えている。
【００４６】
周壁部４２Ａは、パネルＰの貫通孔Ｐｈ内に配設される第１周壁部４２１と、第１周壁部に連続する第２周壁部４２２とで構成されている。
【００４７】
第１周壁部４２１は、貫通孔Ｐｈにがたつき無く嵌め込み可能な長円筒形状に形成されている。第１周壁部４２１が貫通孔Ｐｈに嵌め込むことで、貫通孔Ｐｈの軸に直交する方向において、貫通孔Ｐｈに対するインナー本体６０の位置決めがなされる。
【００４８】
第２周壁部４２２は、第１周壁部４２１よりも小さい円形筒状に形成されている。第２周壁部４２２の外周面には、ネジ溝６０１が形成されている。なお、パネルＰの貫通孔Ｐｈが円形である場合には、第１周壁部４２１及び第２周壁部４２２は、貫通孔Ｐｈにがたつき無く嵌め込み可能な大きさの円筒形状に形成される。
【００４９】
鍔部４６Ａは、周壁部４２Ａの第１周壁部４２１の一端側開口縁部から外側に張出す環状板形状、ここでは、略楕円環状板形状に形成されている。
【００５０】
インナー部材４０Ａのカバー部材６２は、有底円形筒状に形成されている。詳細には、カバー部材６２は、ワイヤハーネス１０を挿通するための挿通孔が形成された底部６２１と、当該底部６２１から起立する筒状壁部６２３とを備えている。筒状壁部６２３の内周面には、第２周壁部４２２のネジ溝６０１に螺合するネジ溝６２５が形成されている。
【００５１】
インナー本体６０をグロメット本体２２Ａに装着した状態で、パネルＰの一方主面Ｓ１側から他方主面Ｓ２に向けて、インナー本体６０における周壁部４２Ａの第１周壁部４２１がパネルＰの貫通孔Ｐｈに嵌め込まれる。この状態で、ワイヤハーネス１０が挿通されたカバー部材６２が、インナー本体６０における周壁部４２Ａの第２周壁部４２２にネジ止めされることで装着される。すると、周壁部４２Ａの外側の位置で、カバー部材６２の筒状壁部６２３の端部が、パネルＰの他方主面Ｓ２に押し当てられるとともに、グロメット本体２２Ａの環状封止部２６ＡがパネルＰの一方主面Ｓ１に押し当てられる。すなわち、カバー部材６２の筒状壁部６２３と、環状封止部２６Ａとによって、パネルＰが挟持されることとなる。このように、筒状壁部６２３は、グロメット本体２２Ａ、インナー本体６０及びカバー部材６２が一体化された状態では、周壁部４２Ａの他端側（第２周壁部４２２側）から一端側（第１周壁部４２１側）に向けて延びており、かつ、環状封止部２６との間でパネルＰを挟持するロック部を構成する。
【００５２】
また、筒状壁部６２３の端部がパネルＰの他方主面Ｓ２に押し付けられることで、グロメット本体２２Ａのシール部２９Ａが、パネルＰの一方主面Ｓ１側で、貫通孔Ｐｈの内周縁部ＰｈＥに押しつけられる。これによって、パネルＰとグロメット２０Ａの間の隙間をシールすることができる。
【００５３】
なお、インナー本体６０及びカバー部材６２に、ネジ溝６０１，６２５をそれぞれ形成する代わりに凹凸を形成してもよい。そして、インナー本体６０をカバー部材６２に押し込むことで、カバー部材６２がインナー本体６０から抜止め係止されて、これらが一体化されるようにしてもよい。この場合、インナー本体６０の第２周壁部４２２及びカバー部材６２を円形筒状に形成する必要はなく、貫通孔Ｐｈに対応した長円形筒状に形成してもよい。
【００５４】
＜３．  変形例＞
上記実施形態では、環状封止部２６，２６Ａの開口端縁部２６１，２６１Ａが、貫通孔Ｐｈの内周縁部ＰｈＥよりも内側に配置されるように構成されているが、これらは必須ではない。すなわち、シール部２９，２９Ａが貫通孔Ｐｈの内周縁部ＰｈＥに当接可能であれば、開口端縁部２６１，２６１Ａが貫通孔Ｐｈの内周縁部ＰｈＥよりも外側に配置されてもよい。
【００５５】
また、図２において破線で示すように、環状封止部２６，２６Ａの外周部全体に、外側に拡がりつつ、且つインナー部材４０側に向かって延びる環状の傘状部９３を設けてもよい。当該傘状部９３の先端部が環状封止部２６の表面よりもインナー部材４０側に突出させることで、当該先端部を４０ＡのパネルＰの一方主面Ｓ１に密着させることができる。これによって、グロメット２０のシール性をさらに高めることができる。
【００５６】
この発明は詳細に説明されたが、上記の説明は、すべての局面において、例示であって、この発明がそれに限定されるものではない。例示されていない無数の変形例が、この発明の範囲から外れることなく想定され得るものと解される。また、上記各実施形態及び各変形例で説明した各構成は、相互に矛盾しない限り適宜組み合わせたり、省略したりすることができる。
【符号の説明】
【００５７】
１０  ワイヤハーネス
２０，２０Ａ  グロメット
２２，２２Ａ  グロメット本体
２６，２６Ａ  環状封止部
２６１，２６１Ａ  開口端縁部
２７，２７Ａ  環状溝
２８，２８Ａ  筒部
２９，２９Ａ  シール部
２９１  先端部
２９２，２９２Ａ  傾斜面
４０，４０Ａ  インナー部材
４２，４２Ａ  周壁部
４２１  第１周壁部
４２２  第２周壁部
４６，４６Ａ  鍔部
５０  ロック片（ロック部）
５８  ロック突部
６０  インナー本体
６２  カバー部材
６０１  ネジ溝
６２３  筒状壁部（ロック部）
６２５  ネジ溝
Ｐ  パネル
Ｐｈ  貫通孔
ＰｈＥ  内周縁部
Ｓ１  パネルの一方主面
Ｓ２  パネルの他方主面
【図１】
2017007463.tif 000003
【図２】
2017007463.tif 000004
【図３】
2017007463.tif 000005